(57)【要約】【課題】挿入した針金や棒などをサムターンに引っ掛け、サムターンを回転することによる不正解錠を阻止できる施錠装置を提供し、防犯性の向上を図る。【解決手段】室外からはシリンダー錠に挿入した合鍵の回動操作によって、又室内からはサムターン５の回動操作によってデッドボルトを進退させて施解錠が可能となる錠箱を開閉体に備えたサムターン不正操作防止機能付き施錠装置１１において、開閉体に設けられ室内から合鍵を挿入して回動操作可能な、シリンダー錠と同一のキャンセル用シリンダー錠１３と、このキャンセル用シリンダー錠１３とサムターン５との間に設けられキャンセル用シリンダー錠１３の回動操作によってサムターン５による錠箱３への回動操作入力を無効にする操作入力キャンセル手段１５とを設けた。【選択図】      図１
2004176468.tif 000002
【特許請求の範囲】
【請求項１】
室外からはシリンダー錠に挿入した合鍵の回動操作によって、又室内からはサムターンの回動操作によってデッドボルトを進退させて施解錠が可能となる錠箱を開閉体に備えたサムターン不正操作防止機能付き施錠装置であって、
前記開閉体に設けられ室内から前記合鍵を挿入して回動操作可能な、前記シリンダー錠と同一のキャンセル用シリンダー錠と、
該キャンセル用シリンダー錠と前記サムターンとの間に設けられ該キャンセル用シリンダー錠の回動操作によって前記サムターンによる前記錠箱への回動操作入力を無効にする操作入力キャンセル手段と、
を具備したことを特徴とするサムターン不正操作防止機能付き施錠装置。
【請求項２】
請求項１記載のサムターン不正操作防止機能付き施錠装置であって、
前記キャンセル用シリンダー錠の回動力を前記操作入力キャンセル手段へ伝達する連動連結部材が前記キャンセル用シリンダー錠と前記操作入力キャンセル手段との間に介設され、
該連動連結部材には、室内から視認可能な回動位置確認手段が設けられていることを特徴とするサムターン不正操作防止機能付き施錠装置。
【請求項３】
請求項１記載のサムターン不正操作防止機能付き施錠装置であって、
前記操作入力キャンセル手段が、
前記キャンセル用シリンダー錠の回動出力部に固着され該キャンセル用シリンダー錠の回動に従動するギヤと、
前記サムターンの回動軸と、
該回動軸と独立して同軸に配設され前記錠箱に回動操作力を入力する入力軸と、
前記回動軸と該入力軸の間に軸線方向に移動自在に設けられ前記回動軸と該入力軸との連結位置に移動することで前記回動軸と該入力軸とを相対回転不能に連結する一方、前記回動軸と該入力軸との連結解除位置に移動することで前記回動軸と該入力軸とを相対回転可能とするスライド部材と、
前記入力軸に相対回転可能に外挿され前記ギヤに従動して回動することで該スライド部材を前記連結解除位置又は前記連結位置のいずれかに移動させるカム付きギヤと、
からなることを特徴とするサムターン不正操作防止機能付き施錠装置。
【請求項４】
請求項３記載のサムターン不正操作防止機能付き施錠装置であって、
前記ギヤからの回動力を前記カム付きギヤへ伝達する中間ギヤが前記ギヤと前記カム付きギヤとの間に噛合され、
該中間ギヤには、室内から視認可能な回動位置確認手段が設けられていることを特徴とするサムターン不正操作防止機能付き施錠装置。
【発明の詳細な説明】
【０００１】
【発明の属する技術分野】
本発明は、扉の施解錠操作に用いられるサムターンを有効又は無効にして防犯性の向上を図る施錠装置に関する。
【０００２】
【従来の技術】
一般的に、サムターン付きの施錠装置は、下記特許文献１に示されるように、扉などの開閉体に錠箱が内蔵され、錠箱には、開閉体の屋外側に露出するシリンダー錠と、開閉体の屋内側に露出する回転式のサムターンとが設けられている。
【０００３】
錠箱には、ロック部材である例えばデッドボルトが開閉体の端面（木口）から進退自在に設けられている。
この種の施錠装置では、屋外（室外）側に露出したシリンダー錠の鍵孔に、合鍵（キー）を挿入して回転操作することによって、開閉体の木口よりデッドボルトが進退され、建物躯体側の開閉体枠である開口枠体に設けたストライクに対して施解錠が行われるようになっている。
また、屋内（室内）側からは、サムターンの摘みが回転操作されるのみで、デッドボルトが進退され、開閉体の施解錠が簡便に行えるようになっている。
【０００４】
【特許文献１】
特開平１１−１４１２０１号公報
【０００５】
【発明が解決しようとする課題】
近年、マンションや住宅の玄関扉等の開閉体、あるいはこれら玄関扉等の開閉体の近傍における開口枠体の周囲である壁部分に、高級感や優美性を高める目的で、ガラス板を嵌め込んだ小窓付のものが多用されるようになってきている。
ところが、このような開閉体の小窓や壁部分の小窓は、ガラス板が割られると、室外から、手を差し入れてサムターンを不正に操作したり、先端を鉤状に曲げた針金等を挿入して、サムターンが不正に操作されてしまう虞れがある。
一般的に、扉に多用される回転式のサムターンは、屋内側に露出する摘み部が回動中心から半径方向外側に翼部を張り出させた楕円柱形状、或いは略板形状であるため、この翼板部に針金等を曲げた鉤状先端を掛止し、回転モーメントを与えることにより不正な解錠操作が可能となる場合があった。
【０００６】
また、サムターンは、上記した小窓の無い開閉体においても、郵便ポストの投入開口など、針金を挿入する穴や隙間が開閉体自体あるいは開閉体近傍の壁部にあれば、同様に不正解錠される虞があった。
【０００７】
本発明は上記状況に鑑みてなされたもので、屋外や室外から挿入した針金や棒などをサムターンに引っ掛けて、サムターンを回転することによる不正解錠を阻止できる施錠装置を提供し、防犯性の向上を図ることを目的とする。
【０００８】
【課題を解決するための手段】
次に、上記の課題を解決するための手段を、実施の形態に対応する図面を参照して説明する。
この発明の請求項１記載のサムターン不正操作防止機能付き施錠装置１１は、室外からはシリンダー錠７に挿入した合鍵９の回動操作によって、又室内からはサムターン５の回動操作によってデッドボルトを進退させて施解錠が可能となる錠箱３を開閉体１に備えたサムターン不正操作防止機能付き施錠装置１１であって、
前記開閉体１に設けられ室内から前記合鍵９を挿入して回動操作可能な、前記シリンダー錠７と同一のキャンセル用シリンダー錠１３と、
該キャンセル用シリンダー錠１３と前記サムターン５との間に設けられ該キャンセル用シリンダー錠１３の回動操作によって前記サムターン５による前記錠箱３への回動操作入力を無効にする操作入力キャンセル手段１５と、
を具備したことを特徴とする。
【０００９】
このサムターン不正操作防止機能付き施錠装置１１では、室外からの施解錠に使う同じ合鍵９が使用されて、室内からキャンセル用シリンダー錠１３が回動操作されると、操作入力キャンセル手段１５が作動して、サムターン５による錠箱３への回動操作入力が無効になる。これにより、サムターン５は空転するのみとなり、挿入した針金や棒などを引っ掛け、サムターン５を回転することによる不正解錠が阻止される。
【００１０】
請求項２記載のサムターン不正操作防止機能付き施錠装置１１は、請求項１記載のサムターン不正操作防止機能付き施錠装置であって、
前記キャンセル用シリンダー錠１３の回動力を前記操作入力キャンセル手段１５へ伝達する連動連結部材５１が前記キャンセル用シリンダー錠１３と前記操作入力キャンセル手段１５との間に介設され、
該連動連結部材５１には、室内から視認可能な回動位置確認手段が設けられていることを特徴とする。
【００１１】
このサムターン不正操作防止機能付き施錠装置１１では、回動位置確認手段の位置を目視することで、連動連結部材５１の状態が分り、この連動連結部材５１の状態から操作入力キャンセル手段１５の状態、すなわち、サムターン５が空転してしまう状態か否かが確認可能となる。これにより、キャンセル用シリンダー錠１３やサムターン５を作動させなくとも、サムターン５の有効／無効状態が目視のみにより把握可能となる。
【００１２】
請求項３記載のサムターン不正操作防止機能付き施錠装置１１は、請求項１記載のサムターン不正操作防止機能付き施錠装置１１であって、
前記操作入力キャンセル手段１５が、
前記キャンセル用シリンダー錠１３の回動出力部３１に固着され該キャンセル用シリンダー錠１３の回動に従動するギヤ２１と、
前記サムターン５の回動軸２３と、
該回動軸２３と独立して同軸に配設され前記錠箱３に回動操作力を入力する入力軸２５と、
前記回動軸２３と該入力軸２５の間に軸線方向に移動自在に設けられ前記回動軸２３と該入力軸２５との連結位置に移動することで前記回動軸２３と該入力軸２５とを相対回転不能に連結する一方、前記回動軸２３と該入力軸２５との連結解除位置に移動することで前記回動軸２３と該入力軸２５とを相対回転可能とするスライド部材２７と、
前記入力軸２５に相対回転可能に外挿され前記ギヤ２１に従動して回動することで該スライド部材２７を前記連結解除位置又は前記連結位置のいずれかに移動させるカム付きギヤ２９と、
からなることを特徴とする。
【００１３】
このサムターン不正操作防止機能付き施錠装置１１では、合鍵９が挿入されて、キャンセル用シリンダー錠１３が回動操作されると、ギヤ２１が回動し、このギヤ２１の回動によりカム付きギヤ２９が従動され、スライド部材２７が連結位置と連結解除位置とのいずれかに移動可能となる。これにより、シリンダー錠７と同一のキャンセル用シリンダー錠１３を用いて、コンパクトな構造で、サムターン５から錠箱３へ入力される回動操作力が有効／無効に切り替え可能となる。
【００１４】
請求項４記載のサムターン不正操作防止機能付き施錠装置１１は、請求項３記載のサムターン不正操作防止機能付き施錠装置１１であって、
前記ギヤ２１からの回動力を前記カム付きギヤ２９へ伝達する中間ギヤ５１が前記ギヤ２１と前記カム付きギヤ２９との間に噛合され、
該中間ギヤ５１には、室内から視認可能な回動位置確認手段が設けられていることを特徴とする。
【００１５】
このサムターン不正操作防止機能付き施錠装置１１では、回動位置確認手段の位置を目視することで、中間ギヤ５１の回転位置が分り、この中間ギヤ５１の回転位置からスライド部材２７の位置、すなわち、スライド部材２７が連結位置か又は連結解除位置かが確認可能となる。これにより、キャンセル用シリンダー錠１３やサムターン５を作動させなくとも、サムターン５の有効／無効状態が目視のみにより把握可能となる。
【００１６】
【発明の実施の形態】
以下、本発明に係るサムターン不正操作防止機能付き施錠装置（以下、単に「施錠装置」と言う。）の好適な実施の形態を図面を参照して詳細に説明する。
図１は本発明に係る施錠装置の分解側面図、図２は図１に示した施錠装置の組立て状態における縦断面図、図３は図２のＡ−Ａ矢視図、図４は図２のＢ−Ｂ矢視図、図５は図１に示した入力軸の斜視図、図６は図１に示したスライドコアの斜視図、図７は図１に示したスライダーの斜視図、図８は図１に示したカム付きギヤの斜視図である。
【００１７】
図２に示す開閉体である扉１には、錠箱３を設けてあり、この錠箱３は図示しないラッチボルト、デッドボルト、及びこれらを扉１の木口から進退させる錠箱機構部を内設している。扉１は室内側の面にサムターン５を備えている。上記したデッドボルトは、扉１の室外側の面に設けたシリンダー錠７によって、又はサムターン５を回動することによって扉木口から進退可能となる。すなわち、室外からはシリンダー錠７に挿入した合鍵の回動操作によって、又室内からはサムターン５の回動操作によってデッドボルトを進退させて施解錠が可能となる。
【００１８】
本実施の形態による施錠装置１１は、図１に示すように、キャンセル用シリンダー錠１３と、操作入力キャンセル手段１５とを備えている。シリンダー錠７は扉１の室外側の面に固定された室外ケース１７に、サムターン５，キャンセル用シリンダー錠１３及び操作入力キャンセル手段１５は扉１の室内側の面に固定された室内ケース１９に内設されている。
【００１９】
キャンセル用シリンダー錠１３は、シリンダー錠７と同一のものが使用され、図３に示すように鍵穴１３ａが室内側に開口する。キャンセル用シリンダー錠１３は、シリンダー錠７と同一の合鍵を挿入して、室内から回動操作が行えるようになっている。
【００２０】
操作入力キャンセル手段１５は、キャンセル用シリンダー錠１３とサムターン５との間に設けられ、キャンセル用シリンダー錠１３の回動操作によってサムターン５による錠箱３への回動操作入力を有効／無効に切り替えることができるようになっている。この操作入力キャンセル手段１５は、ギヤ２１と、回動軸２３と、入力軸２５と、スライド部材２７と、カム付きギヤ２９とからなる。
【００２１】
ギヤ２１は、キャンセル用シリンダー錠１３の回動出力部３１に固着され、キャンセル用シリンダー錠１３に挿入された合鍵の回動操作に従動する。このギヤ２１は、９０度の回転角度範囲を往復回動するようになっている。図４に示すように、ギヤ２１の外周には、円周方向に二箇所の凹部３３ａ，３３ｂが形成され、この凹部３３ａ，３３ｂに、バネ３５によって付勢された押付球３７が押入れられることで、節度感（クリック感）が得られるようになっている。
【００２２】
サムターン５は、室内ケース１９から室内側に表出する摘み部５ａと、この摘み部５ａに相対回転不能に嵌入した上記の回動軸２３とからなる。サムターン５は、基部５ｂが室内ケース１９に回動自在に支持され、抜脱規制手段３９によって室内側への抜けが規制されている。室内ケース１９の内部に突出する回動軸２３は、断面略十字形状となる。
【００２３】
入力軸２５は、回動軸２３と独立して回動自在となり、室内ケース１９で回動軸２３と同軸に配設されている。入力軸２５の先端は錠箱３内に挿入されており、入力軸２５の回転は錠箱３内の錠箱機構部に回動操作力を入力可能としている。つまり、サムターン５は、入力軸２５と連結された一体ではなく、独立していることで、空転可能となっている。
【００２４】
入力軸２５は、図５に示すように、室内ケース１９の内部に突出する側の先端面２５ａに、例えば角穴形の係合穴２５ｂが形成されている。なお、入力軸２５は、係合穴２５ｂを有するベース部２５ｃと、軸部２５ｄとを別体で形成して、これらベース部２５ｃと、軸部２５ｄとを同軸上となるように加締めて連結するものであってもよい。入力軸２５は、ベース部２５ｃの近傍の軸部２５ｄの外周が、円形外周部２５ｅとなっている。
【００２５】
スライド部材２７は、スライドコア４１と、スライダー４３とからなる。スライドコア４１は、図６に示すように、一端面に、回動軸２３の先端が進入する略十字形状の連結穴４１ａが形成されている。したがって、連結穴４１ａに先端を進入させた回動軸２３とは、相対回転不能となる。また、他端面には、例えば四角柱状の突部４１ｂが形成されている。スライドコア４１は、室内ケース１９の内部で、連結穴４１ａに回動軸２３の先端が挿入された状態で、軸線方向に移動自在且つ回動自在に保持されている。
【００２６】
このスライドコア４１は、入力軸２５に向かう方向に移動して連結位置に配置されることで、突部４１ｂが入力軸２５の係合穴２５ｂに進入する。突部４１ｂを係合穴２５ｂに進入させたスライドコア４１と入力軸２５とは、相対回転不能となる。この状態で、回動軸２３，スライドコア４１，入力軸２５とが一体回転する。また、スライドコア４１は、回動軸２３に向かう方向に移動して連結解除位置に配置されることで、突部４１ｂが入力軸２５の係合穴２５ｂから後退する。突部４１ｂが係合穴２５ｂから抜けたスライドコア４１と入力軸２５とは、相対回転可能となる。
【００２７】
つまり、スライドコア４１は、回動軸２３と入力軸２５の間に軸線方向に移動自在に設けられ、回動軸２３と入力軸２５との連結位置に移動することで、回動軸２３と入力軸２５とを相対回転不能に連結する一方、回動軸２３と入力軸２５との連結解除位置に移動することで、回動軸２３と入力軸２５とを相対回転可能としている。
【００２８】
このスライドコア４１は、室内ケース１９の内部に設けられた圧縮バネ４５によって、連結位置に配置されるよう付勢されている。
【００２９】
スライダー４３は、図７に示すように、筒状の本体４３ａの一端面に、山部４３ｂと、谷部４３ｃとを円周方向に交互に形成している。また、本体４３ａの外周には直径方向の外側に突出した一対の回転止め４３ｄ，４３ｄが設けられている。スライダー４３は、回転止め４３ｄ，４３ｄを室内ケース１９内の溝部４４に係合させて、回転不能且つ軸線方向に移動自在に保持される。また、スライダー４３は、一端側をスライドコア４１に当接する一方、山部４３ｂ及び谷部４３ｃの形成された他端側を、入力軸２５のベース部２５ｃの外方に外挿する。
【００３０】
カム付きギヤ２９は、図８に示すように、円筒状の本体２９ａの中央部にフランジ部２９ｂを有し、フランジ部２９ｂを挟んで一端側にギヤ２９ｃ、他端側に山部４３ｂ及び谷部４３ｃを形成している。カム付きギヤ２９は、山部４３ｂ及び谷部４３ｃを、スライダー４３に向かって突出させる方向で入力軸２５の円形外周部２５ｅに外挿される。
【００３１】
ここで、カム付きギヤ２９の山部４３ｂ及び谷部４３ｃは、スライダー４３の山部４３ｂ及び谷部４３ｃと当接するように配置されている。したがって、山部４３ｂ，４３ｂ同士が当接した場合、スライダー４３は図２の左方に圧縮バネ４５の付勢力に抗して移動され、連結解除位置となる（図９の状態）。一方、山部４３ｂと谷部４３ｃとが当接した場合、スライダー４３は図２の右方に圧縮バネ４５の付勢力によって移動され、連結位置となる（図２の状態）。この山部４３ｂ，４３ｂ同士の当接状態、又は山部４３ｂと谷部４３ｃとの当接状態は、カム付きギヤ２９の回動によって切り替るようになっている。
【００３２】
室内ケース１９のギヤ２１とカム付きギヤ２９との間には連動連結部材としての中間ギヤ５１が回動自在に噛合して設けられる。この中間ギヤ５１はギヤ２１からの回動力をカム付きギヤ２９へ伝達するようになっている。また、この中間ギヤ５１には図示しない回動位置確認手段が設けられ、この回動位置確認手段は室内ケース１９に穿設された確認孔５３から視認可能となっている。
【００３３】
なお、この回動位置確認手段としては、中間ギヤ５１に同軸心に形成される軸部５２の端面５２ａに設けられ、例えば、色彩による表示や、文字による表示などで構成される。すなわち、９０度の回転角度範囲とされるギヤ２１に従動することから、この９０度の回転角度の間隔で色彩や文字を設け、中間ギヤ５１の軸心に対して偏芯位置に確認窓５３を位置させる構成とすることで、この確認窓５３から、これら色彩や文字等を視認可能としている。
【００３４】
したがって、回動位置確認手段の位置を目視することで、中間ギヤ５１の回転位置が分り、この中間ギヤ５１の回転位置からスライダー４３及びスライドコア４１の位置、すなわち、スライド部材２７が連結位置か又は連結解除位置か、が確認可能となる。これにより、キャンセル用シリンダー錠１３やサムターン５を作動させなくとも、すなわち、連結しているか否かを確認するためにこれらを予め作動させるような操作を行わなくとも、サムターン５の有効／無効状態が把握可能となっている。
【００３５】
次に、このように構成される施錠装置の作用を説明する。
図９は図２に示した施錠装置のサムターン操作無効状態における動作説明図、図１０は図９のＣ−Ｃ線断面図である。
図２に示す通常操作（通常モード）時、カム付きギヤ２９とスライダー４３とは、山部４３ｂと谷部４３ｃとが嵌合し、その結果、スライドコア４１が圧縮バネ４５の付勢力により図２の右方に付勢され、スライドコア４１が連結位置となっている。したがって、回動軸２３，スライドコア４１及び入力軸２５は連結状態で略一体となり、サムターン５を９０度回転することにより、スライドコア４１，入力軸２５が９０度回転して、錠箱３に回動操作力を入力して、錠箱機構部が操作される。
【００３６】
一方、外出時や就寝時（防犯モード）などでは、図９，図１０に示すように、合鍵９をキャンセル用シリンダー錠１３に差込み、９０度回転させると、ギヤ２１が中間ギヤ５１を介してカム付きギヤ２９を回転させる。カム付きギヤ２９が回転することにより、カム付きギヤ２９とスライダー４３とは、山部４３ｂ，４３ｂ同士が当接することとなり、この結果、スライダー４３は、スライドコア４１を圧縮バネ４５の付勢力に抗して図９の左方に移動させる。これにより、スライドコア４１の突部４１ｂがベース部２５ｃの係合穴２５ｂから後退し、スライドコア４１とベース部２５ｃとの連結状態が断絶され、サムターン５による錠箱機構部の操作が不能となる。
【００３７】
また、上記防犯モードから通常モードに切り替えるには、合鍵９をキャンセル用シリンダー錠１３に差込み、９０度の反転回転を行う。これにより、ギヤ２１が中間ギヤ５１を介してカム付きギヤ２９を回転させ、カム付きギヤ２９とスライドコア４１とが、山部４３ｂと谷部４３ｃとで当接することとなる。これにより、スライドコア４１が圧縮バネ４５の付勢力により図２の右方に移動され、再び突部４１ｂが係合穴２５ｂに進入して、回動軸２３、スライドコア４１及び入力軸２５が連結状態で略一体となり、サムターン５による錠箱機構部の操作が可能となる。
【００３８】
したがって、この施錠装置１１によれば、室外からの施解錠に使う同じ合鍵９が使用されて、室内からキャンセル用シリンダー錠１３が回動操作されると、操作入力キャンセル手段１５が作動して、サムターン５による錠箱３への回動操作入力が無効になる。これにより、サムターン５は空転するのみとなり、挿入した針金や棒などを引っ掛け、サムターン５を回転することによる不正解錠が阻止される。
【００３９】
また、合鍵９が挿入されて、キャンセル用シリンダー錠１３が回動操作されると、ギヤ２１が回動し、このギヤ２１の回動によりカム付きギヤ２９が従動され、スライド部材２７が連結位置と連結解除位置とのいずれかに移動可能となる。これにより、シリンダー錠７と同一のキャンセル用シリンダー錠１３を用いて、コンパクトな構造で、サムターン５から錠箱３へ入力される回動操作力が有効／無効に切り替え可能となる。
【００４０】
【発明の効果】
以上説明したように、本発明に係る請求項１記載のサムターン不正操作防止機能付き施錠装置によれば、室外側に設けたシリンダー錠と同一のキャンセル用シリンダー錠を開閉体の室内側に設け、このキャンセル用シリンダー錠の回動操作によってサムターンによる錠箱への回動操作入力を無効にする操作入力キャンセル手段を設けたので、室外からの施解錠に使う同じ合鍵を使用して室内からキャンセル用シリンダー錠を回動操作することで、操作入力キャンセル手段を作動させて、サムターンによる錠箱への回動操作入力を無効にすることができる。この結果、サムターンは空転するのみとなり、挿入した針金や棒などを引っ掛け、サムターンを回転することによる不正解錠を阻止でき、施錠装置の防犯性を向上させることができる。
【００４１】
請求項２記載のサムターン不正操作防止機能付き施錠装置によれば、回動位置確認手段の位置を目視することで、連動連結部材の状態が分り、この連動連結部材の状態から操作入力キャンセル手段の状態、すなわち、サムターンが空転してしまう状態か否かが確認可能となる。これにより、キャンセル用シリンダー錠やサムターンを作動させなくとも、サムターンの有効／無効状態が目視のみにより把握可能となる。
【００４２】
請求項３記載のサムターン不正操作防止機能付き施錠装置によれば、操作入力キャンセル手段を、キャンセル用シリンダー錠に従動するギヤと、サムターンの回動軸と、錠箱に回動操作力を入力する入力軸と、回動軸と入力軸の間に移動自在に設けられたスライド部材と、スライド部材を連結解除位置又は連結位置に移動させるカム付きギヤとによって構成したので、キャンセル用シリンダー錠の回動操作力によってギヤを回動し、このギヤの回動によりカム付きギヤを従動させて、スライド部材を連結位置と連結解除位置とに移動させることができる。これにより、シリンダー錠と同一のキャンセル用シリンダー錠を用いて、コンパクトな構造で、サムターンから錠箱へ入力される回動操作力を有効・無効に切り替えることができる。
【００４３】
請求項４記載のサムターン不正操作防止機能付き施錠装置によれば、ギヤからの回動力をカム付きギヤへ伝達する中間ギヤを、ギヤとカム付きギヤとの間に噛合させ、この中間ギヤに、室内から視認可能な回動位置確認手段を付したので、回動位置確認手段の位置を目視することで、中間ギヤの回転位置からスライド部材の位置が確認可能となる。この結果、キャンセル用シリンダー錠やサムターンを作動させなくとも、すなわち、連結しているか否かを確認するためにこれらを予め作動させるような操作を行わなくとも、サムターンの有効／無効状態が把握でき、操作性を高めることができる。
【図面の簡単な説明】
【図１】本発明に係る施錠装置の分解側面図である。
【図２】図１に示した施錠装置の組立て状態における縦断面図である。
【図３】図２のＡ−Ａ矢視図である。
【図４】図２のＢ−Ｂ矢視図である。
【図５】図１に示した入力軸の斜視図である。
【図６】図１に示したスライドコアの斜視図である。
【図７】図１に示したスライダーの斜視図である。
【図８】図１に示したカム付きギヤの斜視図である。
【図９】図２に示した施錠装置のサムターン操作無効状態における動作説明図である。
【図１０】図９のＣ−Ｃ断面図である。
【符号の説明】
１…開閉体（扉）
３…錠箱
５…サムターン
７…シリンダー錠
９…合鍵
１１…サムターン不正操作防止機能付き施錠装置
１３…キャンセル用シリンダー錠
１５…操作入力キャンセル手段
２１…ギヤ
２３…回動軸
２５…入力軸
２７…スライド部材
２９…カム付きギヤ
３１…回動出力部
５１…連動連結部材（中間ギヤ）
【図１】
2004176468.tif 000003
【図２】
2004176468.tif 000004
【図３】
2004176468.tif 000005
【図４】
2004176468.tif 000006
【図５】
2004176468.tif 000007
【図６】
2004176468.tif 000008
【図７】
2004176468.tif 000009
【図８】
2004176468.tif 000010
【図９】
2004176468.tif 000011
【図１０】
2004176468.tif 000012